(57)【要約】【課題】撮影者が被写体を見失うことなく撮影でき、万一被写体が画面から外れても即座に画面内に復帰させる。【解決手段】撮影したい特定の被写体１１を下向きの矢印１２で示し、撮影者に被写体１１の位置を知らせている。人が大勢並んでいて、上部に空間がある場合などに有効である。または撮影したい特定の被写体１１をモニタの中心部からの放射方向の矢印１２で示し、撮影者に被写体の位置を知らせている。被写体を中央に配置したい場合などに有効である。さらに撮影したい特定の被写体１１を四角いカーソル１３で示し、撮影者に被写体１１の位置を知らせている。被写体１１のおおよその大きさを把握したい場合などに有効である。  【選択図】  図１
2005341449.tif 000002
【特許請求の範囲】
【請求項１】
レンズから入射した光を電気信号に変換する撮像手段と、前記電気信号に所定の処理を行なって画像データを生成する信号処理手段と、前記画像データを表示する画像表示手段と、前記画像データを記録する記録手段と、任意に指定された被写体を認識する認識手段と、前記被写体の位置を示すマーカーを前記画像データに重ねて表示させる被写体表示手段とを有することを特徴とするデジタルスチルカメラ。
【請求項２】
前記マーカーの輝度や色は、背景の輝度や色に応じて見やすいように自動的に変更することを特徴とする請求項１に記載のデジタルスチルカメラ。
【請求項３】
前記被写体が画面に入っていない場合に、被写体の存在する方向を示すマーカーを画面に表示することを特徴とする請求項１に記載のデジタルスチルカメラ。
【請求項４】
前記被写体の存在する方向を示すマーカーは、被写体が画面に入っていないことを示すために色を変更したり、点滅したりすることを特徴とする請求項３に記載のデジタルスチルカメラ。
【請求項５】
前記認識手段は、被写体に取り付けた発信機からの信号を用いることを特徴とする請求項１に記載のデジタルスチルカメラ。
【請求項６】
前記認識手段は、被写体の特徴抽出を用いることを特徴とする請求項１に記載のデジタルスチルカメラ。
【発明の詳細な説明】
【技術分野】
【０００１】
本発明は、画像表示部を備えたデジタルスチルカメラに関し、特に被写体像を追従することを支援する機能に関するものである。
【背景技術】
【０００２】
従来のデジタルスチルカメラおよびビデオカメラは、表示部には撮影画像ともに撮影条件や各種の情報を表示していたが、その中には特定の被写体を追従する情報はなかった。従来は雲台と連動して被写体を追従して撮影するカメラ等は存在した。
【特許文献１】特開２００３−６９８８４号公報  （図１）
【発明の開示】
【発明が解決しようとする課題】
【０００３】
しかし、運動会やイベントなどで、多くの人の中からある特定の人物を被写体として撮影したいとき、撮影しているうちに撮影対象の人物が人ごみに紛れて見失ってしまうことがある。それを防ぐために雲台と連動して被写体を追従するカメラが特許提案されているが、大きくなってしまうために携帯性を損ねてしまう。
【０００４】
そこで本発明は、特定の被写体を認識し、その被写体がモニタのどこにいるかを表示して、撮影者が被写体を見失わないようにすることを特徴とする被写体追従機能付きのデジタルスチルカメラを提供するものある。
【課題を解決するための手段】
【０００５】
上記した課題を解決し目的を達成するために、レンズから入射した光を電気信号に変換する撮像手段と、前記電気信号に所定の処理を行なって画像データを生成する信号処理手段と、前記画像データを表示する画像表示手段と、前記画像データを記録する記録手段と、任意に指定された被写体を認識する認識手段と、前記被写体の位置を示すマーカーを前記画像データに重ねて表示させる被写体表示手段とを有するものである。
【０００６】
また本発明は、前記マーカーの輝度や色は、背景の輝度や色に応じて見やすいように自動的に変更するものである。
【０００７】
また本発明は、前記被写体が画面に入っていない場合に、被写体の存在する方向を示すマーカーを画面に表示するものである。
【０００８】
また本発明は、前記被写体の存在する方向を示すマーカーは、被写体が画面に入っていないことを示すために色を変更したり、点滅したりするものである。
【０００９】
また本発明は、前記認識手段は、被写体に取り付けた発信機からの信号を用いるものである。
【００１０】
また本発明は、前記認識手段は、被写体の特徴抽出を用いるものである。
【発明の効果】
【００１１】
本発明によれば、撮影者が被写体を見失うことなく撮影でき、万一被写体が画面から外れても即座に画面内に復帰させることができる。
【発明を実施するための最良の形態】
【００１２】
以下、図面を参照して本発明によるデジタルスチルカメラの実施の形態を説明する。
【００１３】
図１は、本発明の一実施例を示すデジタルスチルカメラに設けられた表示モニタの内容を示すものであり、具体的には特定の被写体像をモニタに表示したときの一例を示す図である。
【００１４】
そして図１(ａ)では撮影したい特定の被写体１１を下向きの矢印１２で示し、撮影者に被写体１１の位置を知らせている。人が大勢並んでいて、上部に空間がある場合などに有効である。
【００１５】
図１(ｂ)では撮影したい特定の被写体１１をモニタの中心部からの放射方向の矢印１２で示し、撮影者に被写体の位置を知らせている。被写体を中央に配置したい場合などに有効である。
【００１６】
図１(ｃ)では撮影したい特定の被写体１１を四角いカーソル１３で示し、撮影者に被写体１１の位置を知らせている。被写体１１のおおよその大きさを把握したい場合などに有効である。
【００１７】
被写体１１の位置を示すこれらの矢印やカーソルといったマーカーは、背景の輝度や色に応じてその色や輝度を変更したり、縁取りをさせたりすることも可能である。
【００１８】
図２は、撮影したい特定の被写体がフレームから外れた場合のモニタ表示の一例を示す図である。
【００１９】
図２(ａ)はマーカーが矢印の場合である。画面中央と被写体を結ぶ線上に矢印１２を配置し、被写体１１（実際にはモニタ内に表示されていないが、説明のため図示）の位置を示している。このとき、矢印を赤で表示させたり、点滅させたりすれば、撮影者は被写体１１が画面からはずれていることをより認識しやすくなる。
【００２０】
図２(ｂ)はマーカーが四角いカーソル１３の場合である。カーソル１３の場合は、被写体１１が画面に入っているのか外れているのかを撮影者に認識させにくいため、画面からはずれた場合は、色を赤で表示させたり、点滅させたりする工夫が必要である。また、通常はカーソルを表示されている場合でも、被写体が画面からはずれたら矢印表示１２に切り換えることも考えられる。
【００２１】
図３は、被写体１１に発信機を付けた場合の処理を示すフローチャートの一例である。
【００２２】
デジタルスチルカメラを撮影モードになると、画像をモニタ上に表示する（ステップＳ３０）。そして、被写体に取り付けられた発信機からの信号を受信し（ステップＳ３１）、その信号から被写体の位置を検出する（ステップＳ３２）。検出の結果、被写体が画面内にあれば（ステップＳ３３のＹ）マーカーを通常状態で被写体の位置に表示する（ステップＳ３４）。もし被写体が画面内に無ければ（ステップＳ３３のＮ）、被写体の位置を示す位置にマーカーを表示し（ステップＳ３５）、さらにマーカーを赤色で点滅させて被写体が画面内に無いことを撮影者に通知する。
【００２３】
図４は、被写体の特徴抽出をした場合の処理を示すフローチャートの一例である。被写体の特徴は、形状、大きさ、色、温度などさまざまなものが考えられる。
【００２４】
撮影者は撮影開始前に被写体の特徴を登録しておく（ステップＳ４０）。撮影モードにして画面に画像が表示されると（ステップＳ４１）、まず撮影者が目的の被写体が画面内に入るようにカメラを動かす（ステップＳ４２）。その状態で、カメラに登録していた特徴と合致する被写体を画面内から検出させる（ステップＳ４３）。検出により目的の被写体が選択された場合は（ステップＳ４４のＹ）、ボタンを押すことなどにより被写体追尾を開始させる。目的の被写体が選択されなかった場合は（ステップＳ４４のＮ）、目的の被写体が選択されるまで検出を繰り返す。そして被写体が検出された場合には、被写体を追尾するように被写体の検出を継続すると共に（ステップＳ４５）、被写体が画面内にある場合には（ステップＳ４６のＹ）、カメラは被写体の位置にマーカーを表示する（ステップＳ４７）。そして被写体が画面からはずれた場合は（ステップＳ４６のＮ）、フレームアウトした位置にマーカーを固定して、マーカーを赤点滅させるなどして撮影者に被写体が画面内に無いことを通知する（ステップＳ４８）。
【００２５】
図５に、上記説明した本実施形態の動作を実行するときのシステム構成例について説明する。
【００２６】
図５の示す、レンズ５０は被写体からの光学像を入力し、ＣＣＤ５１に入力する。ＣＣＤ５１はレンズ５０より入力された光学像を検出して、画像信号としての電気的信号に変換する。ＤＳＰ５２は、ＣＣＤ５１から入力された画像信号を信号処理してデジタル符号化された画像信号に変換する。符号化されたデジタル画像信号は、メモリカード５３に記録され、または表示装置であるモニタ５４に表示される。操作スイッチ５５は、デジタルスチルカメラの操作を行うための複数の操作スイッチからなり、操作スイッチ５５の操作に応じてＤＳＰ５２が各種動作制御を実行する。ＲＡＭ５６は、ＤＳＰ５２のワーキングメモリである。受信部５７は、被写体に付けられた発信機からの信号を受信して、被写体の位置情報をＤＳＰ５２に送信する。ＤＳＰ５２では、この位置情報をみて被写体が撮像した画像信号内に位置しているかを検出する。そして、検出した被写体像の位置にマーカを表示させるような表示データを生成し、モニタ５４に表示出力するものである。
【００２７】
以上説明したように、本実施形態によれば、例えば、運動会やイベントなどで、多くの人の中からある特定の人物を被写体として撮影したいときにも、撮影者が被写体を見失うことなく撮影でき、万が一被写体が画面からはずれても即座に画面内に復帰させることが可能であり、しかも機構的にもコンパクトな被写体追従機能付きカメラを提供できる。
【図面の簡単な説明】
【００２８】
【図１】本発明の一実施形態によるビデオカメラにて、被写体をモニタに表示したときの一例を示す図である。
【図２】同実施形態において、撮影したい特定の被写体がフレームから外れた場合のモニタ表示の一例を示す図である。
【図３】同実施形態において被写体に発信機を付けた場合の処理を示すフローチャートの一例である。
【図４】同実施形態において、被写体の特徴抽出をした場合の処理を示すフローチャートの一例である。
【図５】同実施形態における、システム構成図例である。
【符号の説明】
【００２９】
１１…被写体、１２…矢印マーク、１３…カーソル、５０…レンズ、５１…ＣＣＤ、５２…ＤＳＰ、５３…メモリカード、５４…モニタ、５５…操作スイッチ、５６…ＲＡＭ、５７…受信部、５８…発信機。
【図１】
2005341449.tif 000003
【図２】
2005341449.tif 000004
【図３】
2005341449.tif 000005
【図４】
2005341449.tif 000006
【図５】
2005341449.tif 000007